(57)【要約】  【課題】  簡易且つ迅速に飲用水の水質を浄化でき、携帯便利で使用が簡単な携帯浄水装置を提供する。【解決手段】  透水性のある容器１１と、容器内に飲用水浄化作用を具える活性炭１０を収容して、飲用水の水質を浄化する携帯浄水装置を構成し、該携帯浄水装置を飲用水中に直接投入して、簡易且つ迅速に飲用水の水質浄化効果を達成する。処理水への投入、引き出しは摘まみ糸先端のタグを持って行う。【選択図】        図１
2004268015.tif 000002
【特許請求の範囲】
【請求項１】
飲用水の水質浄化に用い、
透水性を具え携帯可能な容器と、及び
該容器内に飲用水を浄化する作用を具える活性炭を有する携帯浄水装置であり、該携帯
浄水装置を飲用水に直接投入して簡易に及び迅速に飲用水の水質を浄化する効果を達成で
きるようにして成ることを特徴とする携帯浄水装置。
【請求項２】
該容器は内部に活性炭を収容する袋状物であり、該活性炭を携帯パック形態に包装して
成ることを特徴とする請求項１記載の携帯浄水装置。
【請求項３】
該袋状物は繊維質素材で作られることを特徴とする請求項２記載の携帯浄水装置。
【請求項４】
該袋状物は平坦な浸漬袋状を呈して成ることを特徴とする請求項２記載の携帯浄水装置
。
【請求項５】
該袋状物は立体浸漬袋状を呈して成ることを特徴とする請求項２記載の携帯浄水装置。
【請求項６】
該袋状物は摘み糸を介して袋引き上げ用タグと連結することができるようにして成るこ
とを特徴とする請求項２記載の携帯浄水装置。
【請求項７】
該活性炭によって飲用水中の残留塩素とトリハロメタンを吸着するようにして成ること
を特徴とする請求項１記載の携帯浄水装置。
【請求項８】
該トリハロメタンはクロロホルム（ＣＨＣｌ3）、ブロモジクロロメタン（ＣＨＢｒＣ
ｌ2）、ジブロモクロロメタン（ＣＨＢｒ2Ｃｌ）及びブロモホルム（ＣＨＢｒ3）を含む
ことを特徴とする請求項６記載の携帯浄水装置。
【請求項９】
該活性炭の比表面積は１２００ｍ2／ｇを超えるようにして成ることを特徴とする請求
項１記載の携帯浄水装置。
【請求項１０】
該活性炭の含有量は２ｇであるようにして成ることを特徴とする請求項１記載の携帯浄
水装置。
【請求項１１】
該携帯浄水装置は、１分以内に飲用水の水質を浄化する効果を達成できるようにして成
ることを特徴とする請求項１記載の携帯浄水装置。
【請求項１２】
該携帯浄水装置によって、少なくとも１６０リットルの飲用水の水質を浄化できるよう
にして成ることを特徴とする請求項１記載の携帯浄水装置。
【請求項１３】
活性炭を携帯パック形態に包装し、
該携帯パックは携帯でき、且つ直接飲用水の中に投入して飲用水の水質を浄化できるこ
とを特徴とする簡易水質浄化法。
【請求項１４】
該活性炭を透水性を具える袋状物内に設けて成ることを特徴とする請求項１３記載の簡
易水質浄化法。
【請求項１５】
該袋状物は繊維質素材で作られることを特徴とする請求項１４記載の簡易水質浄化法。
【請求項１６】
該袋状物は扁平な浸漬袋状を形成して成ることを特徴とする請求項１４の簡易水質浄化
法。
【請求項１７】
該袋状物は立体浸漬袋状を形成して成ることを特徴とする請求項１４記載の簡易水質浄
化法。
【請求項１８】
該袋状物は摘み糸を介して袋引き上げ用タグと連結することができるようにして成るこ
とを特徴とする請求項１４記載の簡易水質浄化法。
【請求項１９】
該活性炭によって飲用水中の残留塩素とトリハロメタンを吸着するようにして成ること
を特徴とする請求項１３記載の簡易水質浄化法。
【請求項２０】
該トリハロメタンは、クロロホルム（ＣＨＣｌ3）、ブロモジクロロメタン（ＣＨＢｒ
Ｃｌ2）、ジブロモクロロメタン（ＣＨＢｒ2Ｃｌ）及びブロモホルム（ＣＨＢｒ3）を含
むことを特徴とする請求項１９記載の簡易水質浄化法。
【請求項２１】
該活性炭の比表面積は１２００ｍ2／ｇを超えるようにして成ることを特徴とする請
求項１３記載の簡易水質浄化法。
【請求項２２】
該活性炭の含有量は２ｇであるようにして成ることを特徴とする請求項１３記載の簡易
水質浄化法。
【請求項２３】
該携帯パックは、１分以内に水質浄化の効果を達成するようにして成ることを特徴とす
る請求項１３記載の簡易水質浄化法。
【請求項２４】
該携帯パックによって少なくとも１６０リットルの飲用水の水質を浄化できるようにし
て成ることを特徴とする請求項１３記載の簡易水質浄化法。
【発明の詳細な説明】
【技術分野】
【０００１】
本発明は携帯浄水装置に関し、特に活性炭携帯浄水装置に関する。
【背景技術】
【０００２】
日常生活において、水の主要な供給源は水道水である。水道水は浄化処理の過程で塩素
を加えて消毒と殺菌を行うため、残留塩素の問題が生じ、残留塩素が多ければ水道水の異
臭となったり、直接飲用に適さなくなったりする。また、水の汚染が日ごとひどくなって
いる中、水中の有機物が塩素と反応して、クロロホルム（ＣＨＣｌ3）、ブロモジクロロ
メタン（ＣＨＢｒＣｌ2）、ジブロモクロロメタン（ＣＨＢｒ2Ｃｌ）及びブロモホルム（
ＣＨＢｒ3）を含む消毒の副産物トリハロメタン（Ｔｒｉｈａｌｏｍｅｔｈａｎｅ、略称
ＴＨＭ）を形成する。トリハロメタンは発がん性物質であるため、飲用水にトリハロメタ
ンを含有していれば、人体の健康に危害を加えることになる。
【０００３】
飲用水の品質を改善するため、一般にフィルタなどの浄水設備を設置して水質を浄化す
るが、フィルタは通常、活性炭フィルタ芯を利用して有機汚染物質を除去している。活性
炭は特殊な空孔構造をもつ多孔質炭素体の総合名称であり、高比表面積特性があるため有
機汚染物質の吸着に適している。例えば残留塩素とトリハロメタンなど、効果的に脱色脱
臭して水質を改善できる。しかし活性炭はある時間使用すると活性炭上に累積していた細
菌が増殖するため、ろ過されて出てくる水の細菌数が増加し、１〜２週ごとに（水量の多
寡によって）定期的にフィルタ材と付属部品を洗浄しなければならず、フィルタ芯使用約
半年で、その吸着作用は飽和状態に達するため、交換することによって正常機能を維持す
る必要がある。
【発明の開示】
【発明が解決しようとする課題】
【０００４】
フィルタの使用によって効果的に水質を改善することは可能だが、価格が高い上、たび
たび洗浄やフィルタ芯交換などを行ってフィルタの維持管理をしなければ、飲用水の安全
性を確保できない。忙しい現代人にとってはこのような洗浄や維持管理メンテナンスはあ
まりに煩雑である。このほか、公共の場では浄水設備を具えていない場所も多く、浄水設
備があっても定期的な洗浄や管理が行われていないなど、我々が水質の悪い飲用水を飲み
込む機会が増大し、健康に悪影響がある。
以上から本発明は、効果的に水質を浄化し、且つ携帯に便利で使用が簡単という長所を
具える携帯浄水装置の提供を課題とする。
【課題を解決するための手段】
【０００５】
上記課題を解決するため、本発明は簡易且つ迅速に飲用水の水質を浄化できる携帯浄水
装置を提供する。
上記課題を解決するため、本発明はまた、携帯に便利で使用が簡単という長所を具える
携帯浄水装置を提供する。
本発明の携帯浄水装置は、飲用水の水質浄化に用い、
透水性があり携帯できる容器と活性炭を具え、活性炭は飲用水の浄化作用を有し、容器
の内部に収容する。これによって携帯浄水装置を飲用水中に直接投入して、簡易且つ迅速
に飲用水の水質浄化を達成できる。
【０００６】
携帯浄水装置は、その容器は袋状物として、活性炭を包装して携帯パックの形態にでき
る。
携帯浄水装置の袋状物は繊維質素材で作られ、四隅を閉じた扁平な袋状、いわゆるティ
ーバッグ（登録商標）状に形成することができる。袋状物は立体浸漬袋状に形成すること
もできる。袋状物は摘み糸を介して袋引き上げ用タグと連結することができる。
携帯浄水装置は活性炭を利用して飲用水中の残留塩素とトリハロメタンを吸着する。ト
リハロメタンには、クロロホルム（ＣＨＣｌ3）、ブロモジクロロメタン（ＣＨＢｒＣｌ2
）、ジブロモクロロメタン（ＣＨＢＲ2Ｃｌ）及びブロモホルム（ＣＨＢｒ3）を含む。活
性炭の比表面積は１２００ｍ2／ｇを超えるようにする。活性炭の含有量を２ｇとする。
携帯浄水装置は１分以内に飲用水の水質浄化効果を達成するようにし、少なくとも１６
０リットルの飲用水浄化に使用できるようにする。
【０００７】
本発明はまた、簡易水質浄化の方法を提供する。活性炭を携帯タイプのパック形態に製
造し、該パックは携帯可能で且つ飲用水に直接投入して飲用水の水質を浄化することがで
きる。
簡易水質浄化法は、活性炭を透水性のある袋状物内に収容する。袋状物は繊維質素材で
作られ、扁平な浸出用袋状とするか或いは立体浸出用袋状とし、摘み糸を介して袋引き上
げ用タグと連結することができる。
簡易水質浄化法は活性炭によって飲用水中の残留塩素とトリハロメタンを吸着する。ト
リハロメタンには、クロロホルム（ＣＨＣｌ3）、ブロモジクロロメタン（ＣＨＢｒＣｌ2
）、ジブロモクロロメタン（ＣＨＢＲ2Ｃｌ）及びブロモホルム（ＣＨＢｒ3）を含む。活
性炭の比表面積は１２００ｍ2／ｇを超えるようにする。活性炭の含有量を２ｇとする。
簡易水質浄化法の携帯パックは、１分以内に飲用水の水質浄化効果を達成するようにし
、少なくとも１６０リットルの飲用水浄化に使用できるようにする。
【発明の効果】
【０００８】
本発明の携帯浄水装置は残留塩素及びトリハロメタンの吸着に良好な効果を具えるため
、飲用水の水質を効果的に改善して、人体の健康を増進することができる。更に、本発明
の携帯浄水装置は浸漬袋スタイルとしているため、携帯可能で使用方法も簡単であり、本
発明の携帯浄水装置を飲用水中に投入するだけで、一分以内で水質を効果的に浄化し、我
々はより安心して飲用できるようになる。また、水道水の煮沸の過程でトリハロメタンは
水温の上昇にしたがって増加するため、煮沸の過程で本考案の携帯浄水装置を投入してト
リハロメタンを吸着することができる。
また本発明の携帯浄水装置はコストが低廉で、一回使用するごとに廃棄できるから、従
来の固定式活性炭フィルタの吸着飽和や細菌増殖といった問題を避けることができる。
【発明を実施するための最良の形態】
【０００９】
本発明の好適な実施例を図に沿って説明する。
図１に示すように、本発明の携帯浄水装置略図において、本発明が提供する携帯浄水装
置は、活性炭１０を透水性があり且つ携帯可能な容器１１に収容し、飲用水の水質簡易浄
化に用いる。容器は袋状物とすることが好ましく、活性炭を携帯パック形態に包装しやす
い。袋状物は一般の浸漬袋に用いられる繊維質素材で作成し、扁平浸漬袋状或いは立体浸
漬袋状に成形することができる。また袋状物は摘み糸１２を介してタグ１３と連結し、袋
を引上げられるようにできる。
【００１０】
以下、携帯パック形態の携帯浄水装置、略称携帯浄水パックの具体的な実施例に沿って
説明する。
本発明の携帯浄水パックは、椰子殻活性炭２ｇを透水性があり携帯可能な袋状物の中に
装填する。活性炭内容物の規格を表１に示す。
【表１】
2004268015.tif 000003
【００１１】
本発明の携帯浄水パックの残留塩素及びトリハロメタン吸着効果は以下の実験で確認で
きる。
実験１：
水道水１００ｍｌに本発明の携帯浄水パックを投入して吸着を行い、ガスクロマトグラ
フ−質量分析計（ＧＣ−ＭＳ）で異なる吸着時間において検出を行ったところ、水中の残
留自由塩素の含有量は図２に示す通りであった。その結果、本発明の携帯浄水パックは一
分以内に水中の残留自由塩素を完全に吸着できることが分る。本発明の携帯浄水パックは
理想的な塩素除去効果があることが証明された。
【００１２】
実験２：
水道水１００ｍｌに本発明の携帯浄水パックを投入して吸着を行い、ガスクロマトグラ
フ−質量分析計（ＧＣ−ＭＳ）で異なる時間において検出を行ったところ、水中の総トリ
ハロメタン（ＴＴＨＭ）の含有量は図３に示す通りであった。その結果、本発明の携帯浄
水パックは一分以内に水中の総トリハロメタンを完全に吸着できることが分る。本発明の
携帯浄水パックは理想的なトリハロメタン除去効果があることが証明された。
【００１３】
実験３：
それぞれ４０ｐｐｍの高濃度のクロロホルム（ＣＨＣｌ3）、ブロモジクロロメタン（
ＣＨＢｒＣｌ2）、ジブロモクロロメタン（ＣＨＢｒ2Ｃｌ）及びブロモホルム（ＣＨＢｒ
3）溶液を準備し、同様に本発明の携帯浄水パックを投入して吸着を行い、ガスクロマト
グラフ−質量分析計（ＧＣ−ＭＳ）で異なる時間において検出を行ったところ、溶液中の
それぞれのトリハロメタンの含有量は図４に示す通りであった。その結果、本発明の携帯
浄水パックは、高濃度のそれぞれのトリハロメタン吸着についても良好な効果があること
が分った。図４中のそれぞれのトリハロメタン含有量の相加により、図５の総トリハロメ
タン（ＴＴＨＭ）吸着量関係図が得られる。それによると本発明の携帯浄水パックは１分
以内に８０ｐｐｍの総トリハロメタンを効果的に吸着できることが分った。水道水の総ト
リハロメタン平均含有量を５０ｐｐｂとして計算すると、本発明の携帯浄水パック一パッ
ク（２ｇ）は少なくとも１６０リットルの水を処理できることになる。
【図面の簡単な説明】
【００１４】
【図１】本発明の携帯浄水装置の略図である。
【図２】本発明の携帯浄水装置の吸着時間と水中残留自由塩素含有量との関係図である。
【図３】本発明の携帯浄水装置の吸着時間と水中総トリハロメタン含有量との関係図である。
【図４】本発明の携帯浄水装置の吸着時間と高濃度の個別トリハロメタン含有量との関係図である。
【図５】本発明の携帯浄水装置の吸着時間と高濃度総トリハロメタン含有量との関係図である。
【符号の説明】
【００１５】
１０    活性炭
１１    容器
１２    摘み糸
１３    タグ
【図１】
2004268015.tif 000004
【図２】
2004268015.tif 000005
【図３】
2004268015.tif 000006
【図４】
2004268015.tif 000007
【図５】
2004268015.tif 000008